(57)【要約】【課題】アダプタによって軸に固定されたシール付き転がり軸受のグリースメンテナンス時のグリース入れ替えが支障なく行なわれるようにすることを目的としている。【解決手段】シール付き転がり軸受１０を軸２０に固定するアダプタ１について、アダプタスリーブ２に螺合したロックナット３の緩み止めを、ロックナット３のねじ孔７に予め組み込んでいる操作孔付き止めねじ４−１の先にあるロックナット３の雌ねじＸＸが形成されているプラグ４−２とアダプタスリーブ２の雄ねじ２ｂが形成された部位同士を押し付ける構造にすることで、従来緩み止め部材として採用していた爪付き座金を無くし、転がり軸受１のシール部材１５が備えるシールリップ１５ａが緩み止め部材に接触して内部空間１７からのグリース排出口が塞がれる問題を解消した。【選択図】図２
2019184004.tif 000002
【特許請求の範囲】
【請求項１】
シール付き転がり軸受（１０）の内輪（１１）のテーパ孔（１１ａ）に引き込む外周がテーパ面の圧入部（２ａ）と、周方向の途中を切り離す割り溝（５）と、一端側の外周に形成された雄ねじ（２ｂ）とを有し、前記雄ねじ（２ｂ）は、前記圧入部（２ａ）の外径が小さくなる側にあるアダプタスリーブ（２）と、
前記雄ねじ（２ｂ）に螺合させるロックナット（３）と、
前記ロックナット（３）を締め付け終点に保持する緩み止め部材と、からなるアダプタであって、
前記ロックナット（３）が、前記内輪（１１）の端面に当接する小径部（３ａ）と、前記シール付き転がり軸受（１０）が備えているシール部材（１５）のシールリップ（１５ａ）が届かないところまで前記シール付き転がり軸受（１０）から離反した位置で前記小径部（３ａ）の基端に連なる、回転操作部（６）を備えた大径部（３ｂ）と、前記大径部（３ｂ）を径方向に貫通したねじ孔（７）とを有し、
前記緩み止め部材は、前記ねじ孔（７）に組み込まれる操作孔付き止めねじ（４−１）と、その操作孔付き止めねじ（４−１）に押されて先端が前記アダプタスリーブ（２）の前記雄ねじ（２ｂ）に押し当てられるプラグ（４−２）とで構成されたシール付き転がり軸受用アダプタ。
【請求項２】
前記ねじ孔（７）と、そのねじ孔（７）に組み込まれる前記操作孔付き止めねじ（４−１）及び前記プラグ（４−２）を、周方向に等間隔で複数備えた請求項１に記載のシール付き転がり軸受用アダプタ。
【請求項３】
前記ロックナット（３）の大径部（３ｂ）のシール付き転がり軸受（１０）と対面する側の端面（Ｅｆ）が、外周側がシール付き転がり軸受（１０）から離反する方向に傾いた斜面になっている請求項１又は２に記載のシール付き転がり軸受用アダプタ。
【発明の詳細な説明】
【技術分野】
【０００１】
この発明は、内輪の内径面がテーパ穴になっているシール付き転がり軸受を軸に固定するために用いるシール付き転がり軸受用アダプタに関する。
【背景技術】
【０００２】
周知の転がり軸受の中に、内輪に対して外輪が傾いても、内輪と外輪間に組み込まれた転動体（ころ又は玉）が外輪の軌道面に対して正常な接触をする自動調心転がり軸受がある。以下の説明は、その自動調心転がり軸受を例に挙げて行う。
【０００３】
その自動調心転がり軸受には、内輪の内径面をテーパ穴にしたテーパ穴軸受が多用されている。そのテーパ穴軸受は、アダプタのアダプタスリーブを軸との間に圧入して軸に固定される。このような構造であるため、軸に直接取り付ける一般的なストレート穴軸受に比べて軸の寸法公差を大きくすることができ、軸に対する取り付け、取り外しもし易い利点がある。
【０００４】
前記アダプタは、軸の外周に嵌めるアダプタスリーブと、そのアダプタスリーブを前記軸と軸受内輪の内径面との間に圧入するロックナットと、そのロックナットを締め付け終点に保持する緩み止め部材とからなる。
【０００５】
その転がり軸受用アダプタの従来例として、例えば、下記特許文献１〜３に示されるようなものがある。
【０００６】
特許文献１のアダプタや特許文献３の図８のアダプタは、ロックナットを軸受の内輪に一体に形成された雄ねじに螺合させ、このロックナットを推進させてアダプタスリーブを軸と軸受の内輪との間に押し込む。
【０００７】
また、特許文献３の図８に示されたもの以外のアダプタは、ロックナットを軸受の内輪で回転可能に引き止め、そのロックナットに螺合したアダプタスリーブをロックナットの定位置回転により推進させて軸と軸受の内輪との間に押し込む。
【０００８】
これに対し、特許文献２が図２、図４に示しているアダプタは、反力が軸受の内輪に受け止められるロックナットを使用してアダプタスリーブを軸と軸受の内輪との間に引き込む構造になっている。この構造は、アダプタスリーブを押し込む方式のアダプタを使用するときに必要なロックナットによる軸受の引き止めが不要であり、アダプタが簡素化される。
【０００９】
そのアダプタスリーブ引き込み方式のアダプタを、シール付き軸受と組み合わせた軸受アセンブリの従来構造を図５に示す。
【００１０】
図中の符号１Ａは、シール付き転がり軸受１０（以下では単に転がり軸受とも言う）を軸２０に固定するアダプタである。そのアダプタ１Ａは、アダプタスリーブ２と、ロックナット３と、爪付き座金８を組み合わせたものが用いられている。
【００１１】
アダプタスリーブ２は、縮径可能なスリーブであり、外周がテーパ面の圧入部２ａと、一端側の外周に形成された雄ねじ２ｂを有している。
【００１２】
その雄ねじ２ｂにロックナット３を螺合させ、そのロックナット３でアダプタスリーブ２を図中右方に引き動かすようにしている。
【００１３】
爪付き座金８は、ロックナット３を締め付け終点に保持する緩み止め部材として設けられており、図５に示すように、ロックナット３と転がり軸受１０との間に挟み込まれる。
【００１４】
シール付き転がり軸受１０は、内輪１１、外輪１２、内・外輪間に組み込まれる転動体（図のそれはころ）１３、その転動体１３を支える保持器１４、及び、内・外輪間の空間の両側を封止するシール部材１５を有する。内輪１１は、内径側にテーパ孔１１ａを有しており、外輪１２には、グリース給油孔１６が設けられている。
【００１５】
図示のシール部材１５は、外周部が外輪１２に固定されており、径方向内端のシールリップ１５ａを内輪１１に摺動可能に接触させて使用される。
【先行技術文献】
【特許文献】
【００１６】
【特許文献１】特表２００９−５３５５９０号公報
【特許文献２】特開２００２−２３５７６１号公報
【特許文献３】米国特許第５，４８９，１５６号公報
【発明の概要】
【発明が解決しようとする課題】
【００１７】
以下の説明は、図５を参照して行う。
シール付き転がり軸受１０は、２個のシール部材１５，１５によって封鎖された内部空間１７に予め潤滑用のグリースが注入されて封入されている。
【００１８】
内部空間１７内の封入グリースが劣化したら、古いグリースを新しいものと入れ替えるグリースメンテナンスが行われる。その入れ替えは、グリース給油孔１６から新しいグリースを注入し、その注入圧で古いグリースを内部空間１７から排出する方法でなされる。
【００１９】
このときの古いグリースの排出は、シール部材１５のシールリップ１５ａが撓んで内輪１１との間にグリースの排出口が形成されることによってなされる。
【００２０】
ところが、図５のように、爪付き座金８が軸受の内輪１１に接していると、撓んだシールリップ１５ａが爪付き座金８に接触して形成されるべき排出口が塞がれ、古いグリースが内部空間１７内に残って満足できるグリースメンテナンスができない。
【００２１】
この発明は、従来のシール付き転がり軸受用アダプタに見られる上記の不具合をなくして、アダプタによって軸に固定されたシール付き転がり軸受のグリースメンテナンス時のグリース入れ替えが支障なく行なわれるようにすることを目的としている。
【課題を解決するための手段】
【００２２】
上記の課題の解決を解決するため、この発明においては、シール付き転がり軸受の内輪のテーパ孔に引き込む外周がテーパ面の圧入部と、周方向の途中を切り離す割り溝と、雄ねじとを有し、前記圧入部が小径となる側の端部の外周に前記雄ねじが設けられているアダプタスリーブと、
前記雄ねじに螺合させるロックナットと、
そのロックナットを締め付け終点に保持する緩み止め部材と、からなるアダプタであって、
前記ロックナットが、前記内輪の端面に当接する小径部と、前記シール付き転がり軸受が備えているシール部材のシールリップが届かないところまで転がり軸受から離反した位置で前記小径部の基端に連なる、回転操作部を備えた大径部と、前記大径部を径方向に貫通したねじ孔とを有し、
前記緩み止め部材は、前記ねじ孔に組み込まれる操作孔付き止めねじと、その操作孔付き止めねじに押されて先端が前記アダプタスリーブの前記雄ねじに押し付けられるプラグとで構成されたシール付き転がり軸受用アダプタを提供する。
【００２３】
前記ねじ孔と、そのねじ孔に組み込まれる前記操作孔付き止めねじ及び前記プラグは、周方向に等間隔で複数設けられていると好ましい。
【００２４】
前記ロックナットの大径部の転がり軸受と対面する側の端面を、外周側が転がり軸受から離反する方向に傾いた斜面にするのも好ましい。
【発明の効果】
【００２５】
この発明のシール付き転がり軸受用アダプタは、ロックナットの緩み止めを、ロックナットにねじ込んだ操作孔付き止めねじと、その操作孔付き止めねじによってアダプタスリーブの雄ねじに押し付けられるプラグとで行って従来設けていた爪付き座金を無くしている。
【００２６】
また、ロックナットを、軸受の内輪の端面に当接する小径部と、シール付き転がり軸受が備えているシール部材のシールリップが届かないところまで転がり軸受から離反した位置で前記小径部の基端に連なる大径部を備える形状にしている。
【００２７】
上記の構成により、前記シールリップが爪付き座金やロックナットに接触してグリースの排出口が塞がれることがなくなる。また、ロックナットの小径部の外周にグリースの排出路となる空間も作り出され、そのために、転がり軸受の内部に充填されたグリースを新しいものと入れ替えるグリースメンテナンスを支障なく行うことが可能になる。
【００２８】
なお、前記ねじ孔と操作孔付き止めねじとプラグを複数設けたものは、ロックナットの緩み止めの安定性と確実性が高まる。
【００２９】
また、ロックナットの大径部の転がり軸受と対面する側の端面を、外周側が転がり軸受から離反する方向に傾いた斜面にしたものは、軸受の内部空間から排出されたグリースが前記斜面に沿って流れるためグリースの排出がより円滑になる。
【図面の簡単な説明】
【００３０】
【図１】この発明のシール付き転がり軸受用アダプタの一例と転がり軸受の分解斜視図である。
【図２】図１のシール付き転がり軸受用アダプタを使用状態にして示す断面図である。
【図３】図１のアダプタのロックナットの拡大斜視図である。
【図４】図１のアダプタのロックナットの小径部を有する側の端面図である。
【図５】従来のシール付き転がり軸受用アダプタの一例を使用状態にして示す断面図である。
【発明を実施するための形態】
【００３１】
以下、添付図面の図１〜図４に基づいて、この発明のシール付き転がり軸受用アダプタの実施の形態を説明する。
【００３２】
図１及び図２に示したシール付き転がり軸受用のアダプタ１は、図５の従来品と同様に、アダプタスリーブの挿入部を軸と転がり軸受の内輪との間に引き込んで自動調心タイプのシール付き転がり軸受１０を軸２０に固定するものである。
【００３３】
そのアダプタ１は、アダプタスリーブ２と、ロックナット３と、操作孔付き止めねじ４−１とプラグ４−２を組み合わせたものが用いられる。図１では、操作孔付き止めねじ４−１とプラグ４−２はロックナット３から外された状態になっているが、この操作孔付き止めねじ４−１とプラグ４−２は予めロックナット３に組み込んである。
【００３４】
操作孔付き止めねじ４−１とプラグ４−２を、内径の雌ねじがまだ加工されていないロックナット３に予め組み込み、その状態で、ロックナット３の内径の雌ねじＸＸを加工することでプラグ４−２の径方向内端に、雌ねじＸＸと同一の連続した雌ねじを形成している。
【００３５】
シール付き転がり軸受（以下では、略して転がり軸受と言う）１０は、内輪１１、外輪１２、内・外輪間に組み込まれる転動体（図のそれはころ）１３、転動体１３を支える保持器１４（これは図２参照）、及び、内・外輪間に形成される内部空間１７の両側を封止するシール部材１５（これも図２参照）を有する。
【００３６】
内輪１１は、図２において右端側が小径となるテーパ孔１１ａを内径側に有しており、外輪１２には、径方向に貫通したグリース給油孔１６が設けられている。
【００３７】
図示のシール部材１５は、外周部が外輪１２に固定されており、径方向内端のシールリップ１５ａを内輪１１に摺動可能に接触させている。
【００３８】
アダプタスリーブ２は、図１に示すように、周方向の途中を割り溝５によって切り離して縮径可能となしたスリーブであり、外周がテーパ面になっている圧入部２ａと、一端側の外周に形成された雄ねじ２ｂを有している。雄ねじ２ｂは、圧入部２ａの外径が小さくなる側にある。
【００３９】
ロックナット３は、図２に示すように、アダプタスリーブ２の雄ねじ２ｂに螺合させる。そのロックナット３は、小径部３ａ（図２〜図４参照）と、回転操作部６（図１、図３、図４参照）を備えた大径部３ｂと、ねじ孔７を有している。小径部３ａは、転がり軸受１０の内輪１１の端面に当接させる部位である。
【００４０】
大径部３ｂは、転がり軸受１０から離反した位置で小径部３ａの基端（小径部３ａの内輪１１に当接する側とは反対側の端部）に連なっている。大径部３ｂの転がり軸受１０からの離反量は、転がり軸受１０のシールリップ１５ａが大径部３ｂに届かない値に設定されている。
【００４１】
大径部３ｂの転がり軸受１０と対面する側の端面Ｅｆは、外周側が転がり軸受１０から離反する方向に傾いた斜面になっている。
【００４２】
回転操作部６（図１、図３、図４参照）は、周方向に間隔をあけて設けられた複数の切欠き部であり、そこにフックスパナ（図示せず）を係止させてロックナット３の回転操作が行われる。
【００４３】
ねじ孔７は、ロックナット３の大径部３ｂに、その大径部３ｂを径方向に貫通して設けられた孔である。このねじ孔７は、周方向に定ピッチで複数個（図のロックナット３には１２０°ピッチで計３個）設けられている。
【００４４】
そのねじ孔７の各々に、操作孔付き止めねじ４−１と、ロックナッロ３の雌ねじＸＸが形成されているプラグ４−２が組み込まれている。その操作孔付き止めねじ４−１を締め込むことで、プラグ４−２とアダプタスリーブ２の雄ねじ２ｂが形成された部位同士を押し付け、これにより、ロックナット３の緩み止めが行われてロックナット３が締め付け終点に保持される。
【００４５】
操作孔付き止めねじ４−１の操作孔は、一般的なものは六角孔であるが、これに限定されるものではなく、へクサロビュラ穴などであってもよい。
【００４６】
以上の通りに構成されたシール付き転がり軸受用アダプタ１は、アダプタスリーブ２を軸２０の外周に嵌め、そのアダプタスリーブ２を互いに位置決めして定位置に組み付けられている軸２０と転がり軸受１０の内輪１１との間に挿入する。
【００４７】
そして、アダプタスリーブ２の、内輪１１のテーパ穴１１ａを通り抜けた一端側外周の雄ねじ２ｂにロックナット３を螺合させ、そのロックナット３を締め付ける。
【００４８】
その操作によってロックナット３の小径部３ａの前端が内輪１１の端面に突き当たる。このため、この後にさらにロックナット３を締め込むと、転がり軸受１０の内輪１１が反力受けになってアダプタスリーブ２が図２において右方に引き動かされる。
【００４９】
その引き込みにより、アダプタスリーブ２の圧入部２ａが転がり軸受１０の内輪１１と軸２０との間に圧入され、軸２０に対して転がり軸受１０が固定される。
【００５０】
そこで、ロックナット３のねじ孔７に予め組み込んでいる操作孔付き止めねじ４−１をねじ込み、これにより、操作孔付き止めねじ４−１の先にあるロックナット３の雌ねじＸＸが形成されているプラグ４−２がアダプタスリーブ２の雄ねじ２ｂが形成された部位同士を押し付ける。
【００５１】
これにより、ロックナット３の緩み止めが完了し、軸２０に対する転がり軸受１０の固定が完了する。
【００５２】
その状態では、図２から判るように、ロックナット３の大径部３ｂは、転がり軸受１０から充分に離反し、転がり軸受のシール部材１５に形成されているシールリップ１５ａのロックナット３に対する接触が皆無となる。
【００５３】
また、転がり軸受１０とロックナット３の大径部３ｂの軸受側の端面Ｅｆとの間にグリースの排出路となる空間が作り出される。
【００５４】
このために、内部空間１７に封入されている古いグリースは、グリースメンテナンス時にグリース給油孔１６から導入される新しいグリースに押し動かされ、内部空間１７の両側において、シール部材１５のシールリップ１５ａを撓ませて内輪１１との間に生じた排出口からスムーズに排出される。その際のグリースの流れを図２に矢印で示す。
【００５５】
このように、この発明のシール付き転がり軸受用アダプタ１を用いれば、シール付き転がり軸受１０に封入されたグリースの排出が支障なくなされ、これにより、軸受内の劣化したグリースを全て新しいグリースに入れ替えて軸受の良好な回転性能の維持と耐久性向上を図ることが可能になる。
【符号の説明】
【００５６】
１          シール付き転がり軸受用アダプタ
１Ａ        従来の転がり軸受用アダプタ
２          アダプタスリーブ
２ａ        圧入部
２ｂ        雄ねじ
３          ロックナット
３ａ        小径部
３ｂ        大径部
Ｅｆ        大径部の転がり軸受と対面する側の端面
４−１       操作孔付き止めねじ
４−２       プラグ
ＸＸ        雌ねじ
５          割り溝
６          回転操作部
７          ねじ孔
８          爪付き座金
１０        シール付き転がり軸受
１１        内輪
１１ａ      テーパ孔
１２        外輪
１３        転動体
１４        保持器
１５        シール部材
１５ａ      シールリップ
１６        グリース給油孔
１７        内部空間
２０        転がり軸受を固定する軸
【図１】
2019184004.tif 000003
【図２】
2019184004.tif 000004
【図３】
2019184004.tif 000005
【図４】
2019184004.tif 000006
【図５】
2019184004.tif 000007